(57)【要約】【課題】被害者から離れた場所におけるストーカー犯罪者の行動を監視できる監視システム等を提供する。【解決手段】被害者が所有する第１携帯電話１０と、ストーカー犯罪者が所有する第２携帯電話２０と、第２携帯電話２０の位置を監視する監視サーバ３０と、から成る監視システムＳＹである。監視サーバ３０は、第２携帯電話２０が発信した電波から、当該第２携帯電話２０の位置情報である第２位置情報を取得して、予め設定された固定位置Ｐ１，Ｐ２を中心とした所定距離内のエリアＥＦ１，ＥＦ２内に、第２携帯電話２０が存在するか否かを判定し、存在すると判定した場合、第２位置情報を第１携帯電話１０に送信する。第１携帯電話１０は、監視サーバ３０から送信された第２位置情報を受信して、第２携帯電話２０の現在位置を表示する。【選択図】図１
2009282888.tif 000002
【特許請求の範囲】
【請求項１】
監視依頼者が所有する第１情報端末と、
監視対象者に装着、または当該監視対象者が所有する第２情報端末と、
前記第２情報端末の位置を監視する監視サーバと、を有する監視システムであって、
前記監視サーバは、
前記第２情報端末が発信した電波から、当該第２情報端末の位置情報である第２位置情報を取得する第２位置情報取得部と、
取得した前記第２位置情報に基づいて、予め設定された固定位置を中心とした所定距離内のエリアである固定エリア内に、前記第２情報端末が存在するか否かを判定する判定部と、
前記固定エリア内に前記第２情報端末が存在すると判定した場合、前記第２位置情報を前記第１情報端末に送信する第２位置情報送信部と、を備え、
前記第１情報端末は、
前記監視サーバから送信された前記第２位置情報を受信する第２位置情報受信部と、
前記第２位置情報に基づいて、前記第２情報端末の現在位置を表示画面に表示する表示制御部と、を備えたことを特徴とする監視システム。
【請求項２】
前記第１情報端末は、
前記監視依頼者の自宅を含む固定位置を設定するための操作部と、
設定した前記固定位置に関する固定位置情報を前記監視サーバに送信する固定位置情報送信部と、をさらに備え、
前記監視サーバは、
前記第１情報端末から、前記固定位置情報を受信する固定位置情報受信部と、
受信した前記固定位置情報に基づいて、前記固定エリアを登録する固定エリア登録部と、をさらに備えたことを特徴とする請求項１に記載の監視システム。
【請求項３】
前記検出部は、予め設定された複数の固定位置を中心とした複数の固定エリア内に、前記第２情報端末が存在することを検出することを特徴とする請求項１または２に記載の監視システム。
【請求項４】
前記第１情報端末は、
当該第１情報端末の現在位置を示す電波を発信する電波発信部をさらに備え、
前記監視サーバは、
前記第１情報端末が発信した電波から、当該第１情報端末の位置情報である第１位置情報を取得する第１位置情報取得部をさらに備え、
前記判定部は、前記固定エリア以外に、取得した前記第１位置情報に基づく位置を中心とした所定距離内のエリアである移動エリア内に、前記第２情報端末が存在するか否かについても判定し、
前記第２位置情報送信部は、前記移動エリア内に前記第２情報端末が存在すると判定した場合、前記第２位置情報を前記第１情報端末に送信することを特徴とする請求項１ないし３のいずれか１項に記載の監視システム。
【請求項５】
前記監視サーバは、
前記第２情報端末から取得した過去所定時間分の前記第２位置情報を記憶する記憶部をさらに備え、
前記第２位置情報送信部は、前記検出部により、前記第２情報端末が、前記固定エリアおよび／または前記移動エリア内に存在することを検出したとき、前記記憶部から読み出した過去所定時間分の前記第２位置情報を前記第１情報端末に送信することを特徴とする請求項４に記載の監視システム。
【請求項６】
監視依頼者が所有する第１情報端末と、
監視対象者に装着、または当該監視対象者が所有する第２情報端末と、
前記第２情報端末の位置を監視する監視サーバと、を有する監視システムのサービス提供方法であって、
前記監視サーバが、前記第２情報端末の位置情報である第２位置情報を取得するステップと、
前記監視サーバが、取得した前記第２位置情報に基づいて、予め設定された固定位置を中心とした所定距離内のエリアである固定エリア内に前記第２情報端末が存在するか否かを判定し、存在すると判定した場合、前記第２位置情報を前記第１情報端末に送信するステップと、
前記第１情報端末が、前記監視サーバから送信された前記第２位置情報に基づいて、前記第２情報端末の現在位置を表示画面に表示するステップと、を実行することを特徴とする監視システムのサービス提供方法。
【請求項７】
コンピュータに、請求項６に記載の監視システムのサービス提供方法における各ステップを実行させるためのプログラム。
【発明の詳細な説明】
【技術分野】
【０００１】
監視対象者の行動を監視する監視システム、監視システムのサービス提供方法およびそのプログラムに関するものである。
【背景技術】
【０００２】
従来、監視対象者の行動を監視する監視システムの一例として、徘徊者を探索するシステムが提案されている（例えば、特許文献１）。当該探索システムは、徘徊者の監視の依頼を受けた警備会社が、徘徊者の位置と、徘徊者を探索する探索者（警備会社のスタッフ）の位置と、の相対的な位置関係を示す情報を、探索者が所持する携帯電話機に提供することで、探索者による徘徊者の探索を迅速に行い得るようにしたものである。
【特許文献１】特開２０００−３０４５６４号公報
【発明の開示】
【発明が解決しようとする課題】
【０００３】
ところで、近年ストーカー被害を訴える被害者が増加している。そこで、上記の探索システムを適用すれば、被害者がストーカー犯罪者の居場所を知ることができ、被害防止に役立つことが想定される。しかしながら、悪質なストーカー犯罪者は、被害者の後を付けまわすだけでなく、被害者が自宅を出た後、自宅の敷地内に侵入したり、郵便受けを物色するなどの行為も行う。このため、上記の探索システムでは、このような被害者から離れた場所で行われるストーカー行為を把握することができず、十分な監視ができないといった問題があった。また、近年ストーカー被害は、殺人事件などに発展するケースも多く、悪質化の傾向にあるため、早急且つ有効な防止策が望まれている。
【０００４】
一方、海外では、保護観察を受けた犯罪者に対し、ＧＰＳ情報を発信するビーコンタグを取り付けて犯罪者の行動を監視することが一般的になっている。近年では、電子腕輪と称される取り外し不可能な装置を犯罪者に装着する方法も韓国等で採用されている。このような背景もあり、ストーカー犯罪者に対しても、近い将来、ビーコンタグや電子腕輪が装着されるようになることが予想できる。
【０００５】
本発明は、上記の問題点に鑑み、被害者から離れた場所におけるストーカー犯罪者の行動を監視できる監視システム、監視システムのサービス提供方法およびそのプログラムを提供することを目的とする。
【課題を解決するための手段】
【０００６】
本発明の監視システムは、監視依頼者が所有する第１情報端末と、監視対象者に装着、または当該監視対象者が所有する第２情報端末と、第２情報端末の位置を監視する監視サーバと、を有する監視システムであって、監視サーバは、第２情報端末が発信した電波から、当該第２情報端末の位置情報である第２位置情報を取得する第２位置情報取得部と、取得した第２位置情報に基づいて、予め設定された固定位置を中心とした所定距離内のエリアである固定エリア内に、第２情報端末が存在するか否かを判定する判定部と、固定エリア内に第２情報端末が存在すると判定した場合、第２位置情報を第１情報端末に送信する第２位置情報送信部と、を備え、第１情報端末は、監視サーバから送信された第２位置情報を受信する第２位置情報受信部と、第２位置情報に基づいて、第２情報端末の現在位置を表示画面に表示する表示制御部と、を備えたことを特徴とする。
【０００７】
本発明の監視システムのサービス提供方法は、監視依頼者が所有する第１情報端末と、監視対象者に装着、または当該監視対象者が所有する第２情報端末と、第２情報端末の位置を監視する監視サーバと、を有する監視システムのサービス提供方法であって、監視サーバが、第２情報端末の位置情報である第２位置情報を取得するステップと、監視サーバが、取得した第２位置情報に基づいて、予め設定された固定位置を中心とした所定距離内のエリアである固定エリア内に第２情報端末が存在するか否かを判定し、存在すると判定した場合、第２位置情報を第１情報端末に送信するステップと、第１情報端末が、監視サーバから送信された第２位置情報に基づいて、第２情報端末の現在位置を表示画面に表示するステップと、を実行することを特徴とする。
【０００８】
これらの構成によれば、予め設定された固定位置を中心とした所定距離内のエリアに第２情報端末が存在する場合、当該第２情報端末の現在位置を、第１情報端末の表示画面に表示するため、第２情報端末を所有する監視対象者（例えば、ストーカー犯罪者）の行動を、第１情報端末を所有する監視依頼者（被害者）が、把握することができる。つまり、自宅など、ストーカー犯罪者のターゲットとなりそうな地点を固定位置として設定しておくことで、監視依頼者が自宅を留守にしている場合でも、自宅周辺にいるストーカー犯罪者の居場所を確認することができ、安心して帰宅することができる。また、監視サーバは、第１情報端末に対し、固定エリア内に第２情報端末が存在する場合のみ第２位置情報を送信する（言い換えれば、固定エリア内に第２情報端末が存在しない場合は第２位置情報を送信しない）ため、被害者に対し、ストーカー犯罪者の日常行動など知りたくもない情報まで知らせてしまうことがない。さらに、ストーカー犯罪者の最低限のプライバシーを守ることにもなる。
なお、第１情報端末としては、携帯電話、ＰＨＳ、ＰＤＡ、パーソナルコンピュータなど、情報受信機能を有する端末を適用可能である。また、第２情報端末としては、携帯電話やＰＨＳの他、ビーコンタグや電子腕輪など、情報発信機能を有し且つストーカー犯罪者が常に所有または装着可能な端末を適用可能である。
【０００９】
上記に記載の監視システムにおいて、第１情報端末は、監視依頼者の自宅を含む固定位置を設定するための操作部と、設定した固定位置に関する固定位置情報を監視サーバに送信する固定位置情報送信部と、をさらに備え、監視サーバは、第１情報端末から、固定位置情報を受信する固定位置情報受信部と、受信した固定位置情報に基づいて、固定エリアを登録する固定エリア登録部と、をさらに備えたことが好ましい。
【００１０】
この構成によれば、第１情報端末が固定位置を設定できるため、被害者は、状況（旅行や引越しなど）に応じて、固定位置（固定エリア）の変更・追加・削除を気軽に行うことができる。
【００１１】
上記に記載の監視システムにおいて、検出部は、予め設定された複数の固定位置を中心とした複数の固定エリア内に、第２情報端末が存在することを検出することが好ましい。
【００１２】
この構成によれば、被害者の自宅だけでなく、職場、学校、実家など、ストーカー犯罪者のターゲットとなりそうな地点を、全て固定位置として設定しておくことで、被害者は安全な日常生活を送ることができる。
【００１３】
上記に記載の監視システムにおいて、第１情報端末は、当該第１情報端末の現在位置を示す電波を発信する電波発信部をさらに備え、監視サーバは、第１情報端末が発信した電波から、当該第１情報端末の位置情報である第１位置情報を取得する第１位置情報取得部をさらに備え、検出部は、固定エリア以外に、取得した第１位置情報に基づく位置を中心とした所定距離内のエリアである移動エリア内に、第２情報端末が存在するか否かについても判定し、第２位置情報送信部は、移動エリア内に第２情報端末が存在すると判定した場合、第２位置情報を第１情報端末に送信することが好ましい。
【００１４】
この構成によれば、監視サーバは、被害者の現在位置を中心とした所定距離内のエリアである移動エリア内に、第２情報端末が存在する場合にも、ストーカー犯罪者の位置を示す第２位置情報を第１情報端末に送信するため、被害者は、ストーカー犯罪者が自分の後を付け回しているような場合も、そのことを把握することができ、早急に対策を講じることができる。
【００１５】
上記に記載の監視システムにおいて、監視サーバは、第２情報端末から取得した過去所定時間分の第２位置情報を記憶する記憶部をさらに備え、第２位置情報送信部は、検出部により、第２情報端末が、固定エリアおよび／または移動エリア内に存在することを検出したとき、記憶部から読み出した過去所定時間分の第２位置情報を第１情報端末に送信することが好ましい。
【００１６】
この構成によれば、被害者は、ストーカー犯罪者が固定エリア（例えば、自宅近辺）および／または移動エリア（自分の周辺）内に居ることを把握できるだけでなく、そこに至る過去所定時間分の移動軌跡（行動）も把握することができる。これにより、ストーカー犯罪者の企てを推測することができ、より適切な対策を講じることができる。
【００１７】
本発明のプログラムは、コンピュータに、上記に記載の監視システムのサービス提供方法における各ステップを実行させるためのものであることを特徴とする。
【００１８】
このプログラムを用いることにより、被害者から離れた場所におけるストーカー犯罪者の行動を監視できる監視システムを実現できる。
【発明を実施するための最良の形態】
【００１９】
（第１実施形態）
以下、添付した図面を参照して、本発明の一実施形態に係る監視システム、監視システムのサービス提供方法およびそのプログラムについて説明する。図１は、監視システムＳＹの概要を示すシステム構成図である。同図に示すように、監視システムＳＹは、ストーカー被害を受けた被害者（監視依頼者）が所有する第１携帯電話１０（第１情報端末）と、被害者によりストーカー被害を訴えられた犯罪者（監視対象者）が所有する第２携帯電話２０（第２情報端末）と、被害者からの依頼を受けて第２携帯電話２０の位置を監視する監視サーバ３０と、から成る。
【００２０】
監視サーバ３０は、警察署や保護観察所など保護観察を行い得る第三者機関からの許可を受けて、携帯電話の通信会社等により運営・管理される。被害者は、警察署に被害届や告訴状を提出し、それが受理された場合に、監視システムＳＹによるサービス提供を受けることができるようになっている。携帯電話の通信会社は、警察署からの指示により、被害者の携帯電話アドレス、ストーカー犯罪者の携帯電話アドレス、被害者の自宅Ｐ１や職場Ｐ２の住所等を、監視サーバ３０内の監視データベース４１に登録する。
【００２１】
この登録により、監視サーバ３０は、ストーカー犯罪者（第２携帯電話２０）が、被害者自宅Ｐ１や被害者職場Ｐ２を中心とした所定距離内のエリアＥＦ１，ＥＦ２（固定エリア）に侵入した場合、並びにストーカー犯罪者（第２携帯電話２０）が、被害者（第１携帯電話１０）の現在位置を中心とした所定距離内のエリアＥＭ（移動エリア）に存在する場合、ストーカー犯罪者の現在位置を示す情報（第２位置情報）を第１携帯電話１０に提供するサービスを行う。
【００２２】
なお、監視データベース４１に、被害者の携帯電話アドレスを登録するものとしたが、携帯電話に代えて、被害者が日常携行する通信機器（ノート型パソコンやＰＤＡ、ＰＨＳなど通信機能を有する電子機器）のアドレスを登録してもよい。また、監視データベース４１に、ストーカー犯罪者の携帯電話アドレスを登録するものとしたが、法制の下において、ビーコンタグや電子腕輪の装着が認められている国や自治体においては、それらの位置情報発信機の識別番号を登録しても良い。
【００２３】
次に、図２を参照し、携帯電話１０，２０および監視サーバ３０の制御構成について説明する。なお、第１携帯電話１０および第２携帯電話２０の制御構成は同様であるため、ここでは第１携帯電話１０についてのみ説明する。図２（ａ）は、第１携帯電話１０の制御ブロック図であり、図２（ｂ）は監視サーバ３０の制御ブロック図である。
【００２４】
図２（ａ）に示すように、第１携帯電話１０は、ＣＰＵ１１（Central Processing Unit）、ＲＡＭ１２（Random Access Memory）、ＲＯＭ１３（Read Only Memory）、ディスプレイ１４（表示画面）、操作キー１５、スピーカー１６、バイブレータ１７、通信部１８およびアンテナ１９を有している。
【００２５】
ＣＰＵ１１は、第１携帯電話１０を統括制御する中央処理装置であり、ＲＡＭ１２は、ＣＰＵ１１が各種演算処理を行うためのワークエリアとして用いられる。また、ＲＯＭ１３は、ＣＰＵ１１が各種演算処理を行うための制御プログラムを記憶している。ディスプレイ１４は、液晶タイプの表示画面であり、本実施形態では主に第２携帯電話２０の現在位置を表示するために用いられる。操作キー１５は、テンキーおよび各種機能キーを含むものであり、本実施形態では主に自宅Ｐ１や職場Ｐ２などの固定位置を設定するために用いられる。スピーカー１６は、着信時や電波受信時などに音声を出力するためのものであり、バイブレータ１７は、着信時や電波受信時などに振動の発生によってその旨を知らせるためのものである。また、通信部１８およびアンテナ１９は、電波の送受信（監視サーバ３０との通信）を行うためのものである。
【００２６】
一方、図２（ｂ）に示すように、監視サーバ３０は、ＣＰＵ３１（Central Processing Unit）、ＲＡＭ３２（Random Access Memory）、ＲＯＭ３３（Read Only Memory）、ＨＤＤ３４（Hard disk drive）、通信部３５およびアンテナ３６を有している。また、監視サーバ３０は、これらの構成以外にも、一般的なパーソナルコンピュータと同様の制御構成を有している。
【００２７】
ＨＤＤ３４は、書き換え可能且つ不揮発性の記憶装置であり、上記の監視データベース４１を格納している。また、通信部３５およびアンテナ３６は、第１携帯電話１０および第２携帯電話２０と通信を行うためのものである。
【００２８】
次に、図３を参照し、監視データベース４１について説明する。同図は、監視データベース４１の一例を示す図である。監視データベース４１は、被害者が有する第１携帯電話１０のＩＤと、当該被害者が被害を訴えたストーカー犯罪者が有する第２携帯電話２０のＩＤと、被害者が設定した固定エリア（固定位置の住所）と、固定エリアＥＦおよび移動エリアＥＭ（いずれも図１参照）のエリア半径と、を関連付けて記憶している。また、１の第１携帯電話ＩＤに対して、１以上の第２携帯電話ＩＤおよび１以上の固定エリアＥＦが関連付けられる。なお、携帯電話ＩＤと携帯電話アドレスは、不図示のテーブルにて対応付けられている。
【００２９】
また、固定位置およびエリア半径については、第１携帯電話１０により、設定・変更が可能となっている。エリア半径とは、被害者が設定した固定位置、または被害者の現在位置から半径何キロメートル以内を監視対象とするかを指すものであり、例えば１００ｍ〜１０ｋｍの範囲で任意に設定可能である。つまり、監視サーバ３０は、監視データベース４１に設定された固定位置から、設定されたエリア半径の円を固定エリアＥＦとし、その中にストーカー犯罪者が侵入した場合、被害者（第１携帯電話１０）に対し、ストーカー犯罪者（第２携帯電話２０）の位置情報を送信する。したがって、被害者がストーカー犯罪者により深刻な被害を受けている場合、エリア半径を大きく設定することによって、より慎重且つ適切な対応策を講じることができるようになる。
【００３０】
次に、図４を参照し、監視システムＳＹの機能構成について説明する。同図は、監視システムＳＹの機能ブロック図である。同図に示すように、第１携帯電話１０は、主な機能構成として、電波発信部１１０、操作部１２０、固定位置情報送信部１３０、第２位置情報受信部１４０および表示制御部１５０を備えている。
【００３１】
電波発信部１１０は、通信部１８およびアンテナ１９を主要部として構成されるものであり、第１携帯電話１０の現在位置、すなわち被害者の現在位置を示す電波を発信する。操作部１２０は、操作キー１５を主要部として構成されるものであり、固定位置の住所、並びに固定エリアＥＦおよび移動エリアＥＭのエリア半径（以下、固定位置の住所およびエリア半径を総称して「固定位置情報」と称する）を設定するために用いられる。
【００３２】
固定位置情報送信部１３０は、ＣＰＵ１１、通信部１８およびアンテナ１９を主要部として構成されるものであり、操作部１２０によって設定された固定位置情報を監視サーバ３０に送信する。第２位置情報受信部１４０は、通信部１８およびアンテナ１９を主要部として構成されるものであり、監視サーバ３０から送信された第２位置情報を受信する。第２位置情報としては、具体的に第２携帯電話２０の緯度、経度および高度等を示す情報を受信する。
【００３３】
表示制御部１５０は、ＣＰＵ１１を主要部として構成されるものであり、第２位置情報受信部１４０により受信した第２位置情報に基づいて、第２携帯電話２０の現在位置、すなわちストーカー犯罪者の現在位置をディスプレイ１４に表示する。なお、現在位置は、第２位置情報を地図データに反映させて（地図上にストーカー犯罪者の現在位置をプロットして）表示する。
【００３４】
一方、ストーカー犯罪者が所有する第２携帯電話２０は、主な機能構成として、電波発信部２１０を備えている。電波発信部２１０は、通信部（通信部１８と同機能）およびアンテナ（アンテナ１９と同機能）を主要部として構成されるものであり、第２携帯電話２０の現在位置を示す電波を発信する。
【００３５】
続いて、監視サーバ３０の機能構成について説明する。監視サーバ３０は、主な機能構成として、固定位置情報受信部３１０、固定エリア登録部３２０、記憶部３３０、第１位置情報取得部３４０、第２位置情報取得部３５０、判定部３６０および第２位置情報送信部３７０を備えている。
【００３６】
固定位置情報受信部３１０は、通信部３５およびアンテナ３６を主要部として構成されるものであり、第１携帯電話１０から固定位置情報を受信する。固定エリア登録部３２０は、ＣＰＵ３１およびＨＤＤ３４を主要部として構成されるものであり、固定位置情報受信部３１０により受信した固定位置情報に基づいて、固定エリアＥＦを登録する。なお、「固定エリアを登録する」とは、固定エリアＥＦの中心位置となる固定位置と、固定エリアＥＦのエリア半径と、を監視データベース４１に登録することを指す。なお、本実施形態においては、固定エリアＥＦのエリア半径と移動エリアＥＭのエリア半径とは同一であるものとする。
【００３７】
記憶部３３０は、ＨＤＤ３４を主要部として構成されるものであり、監視データベース４１を記憶する。第１位置情報取得部３４０は、ＣＰＵ３１、通信部３５およびアンテナ３６を主要部として構成されるものであり、第１携帯電話１０の電波発信部１１０により発信された電波に基づいて、当該第１携帯電話１０の位置情報である第１位置情報を取得する。具体的には、第１携帯電話１０の電波を受信した基地局によって、第１携帯電話１０の位置を特定し、当該特定した位置を示す緯度、経度および高度等を、第１位置情報として取得する。同様に、第２位置情報取得部３５０は、ＣＰＵ３１、通信部３５およびアンテナ３６を主要部として構成されるものであり、第２携帯電話２０の電波発信部２１０により発信された電波から、当該第２携帯電話２０の位置を示す緯度、経度および高度等を、第２位置情報として取得する。
【００３８】
判定部３６０は、ＣＰＵ３１を主要部として構成されるものであり、固定エリアＥＦおよび移動エリアＥＭ内に、第２携帯電話２０が存在するか否かを判定する。具体的には、記憶部３３０に記憶されている監視データベース４１を参照して第１携帯電話ＩＤに関連付けられている１以上の第２携帯電話ＩＤを抽出する。そして、第２位置情報取得部３５０が取得した第２位置情報に基づいて、抽出した１以上のＩＤに対応する第２携帯電話２０の現在位置が、登録されている固定エリアＥＦ内に存在するか否かを判定する。さらに、判定部３６０は、第１位置情報取得部３４０が取得した第１位置情報に基づいて、第２携帯電話２０の現在位置が、第１携帯電話１０の現在位置を中心とした移動エリアＥＭ内に存在するか否かを判定する。
【００３９】
第２位置情報送信部３７０は、ＣＰＵ３１、通信部３５およびアンテナ３６を主要部として構成されるものであり、上記の判定部３６０により固定エリアＥＦまたは移動エリアＥＭ内に第２携帯電話２０が存在すると判定した場合、第２位置情報（第２携帯電話２０の緯度、経度および高度等を示す情報）を第１携帯電話１０に送信する。
【００４０】
次に、図５を参照し、監視システムＳＹのサービス提供方法について説明する。同図は、監視サーバ３０が第２位置情報を第１携帯電話１０に提供する処理を示すフローチャートである。なお、ここでは監視データベース４１内に、既に固定位置情報が登録されているものとして説明する。
【００４１】
まず、第２携帯電話２０は、定期的に電波を発信する（Ｓ０１）。監視サーバ３０は、第２携帯電話２０から発信される電波によって特定される第２位置情報を取得する（Ｓ０２）。ここで、第２携帯電話２０が固定エリアＥＦまたは移動エリアＥＭ内に存在するか否かを判別し（Ｓ０３）、存在すると判定した場合（Ｓ０３：Ｙｅｓ）、第２位置情報を第１携帯電話１０に送信する（Ｓ０４）。また、存在しないと判定した場合は（Ｓ０３：Ｎｏ）、第２携帯電話２０から、定期的に発信される電波に基づいて、第２位置情報の取得（Ｓ０２）および第２携帯電話２０の存在の有無についての判別（Ｓ０３）を繰り返す。
【００４２】
なお、監視サーバ３０は、第２携帯電話２０が固定エリアＥＦまたは移動エリアＥＭ内に存在すると判定した場合（Ｓ０３：Ｙｅｓ）、第２位置情報を第１携帯電話１０に送信する（Ｓ０４）と共に、ＨＤＤ３４内の所定領域（図示省略）に、取得した第２位置情報を記録する（Ｓ０５）。これは、被害者が重大な被害を受けた場合など、警察等に証拠資料として提出するためである。この第２位置情報の記録は、所定時間（例えば、１時間など）継続して行われる。なお、所定時間継続するのではなく、後述する第１携帯電話１０からのキャンセル信号受信（Ｓ０６：Ｙｅｓ）によって、第２位置情報の記録を終了しても良い。
【００４３】
一方、第１携帯電話１０は、監視サーバ３０から第２位置情報を受信すると（Ｓ１１）、スピーカー１６による音声出力またはバイブレータ１７による振動によって、第２位置情報受信を報知すると共に、第２携帯電話２０の現在位置を示す地図データをディスプレイ１４上に表示する（Ｓ１２）。当該地図データは、第２携帯電話２０の現在位置が、所定のマークにより地図上に表示されたものである。また、操作キー１５の操作により、表示する向きや縮尺などが変更可能に表示される。
【００４４】
ここで、第１携帯電話１０の操作キー１５によりキャンセル操作が行われた場合（Ｓ１３：Ｙｅｓ）、つまり第２位置情報の受信が拒否された場合、その旨を示すキャンセル信号を監視サーバ３０に送信する（Ｓ１４）。また、キャンセル操作が行わない場合は（Ｓ１３：Ｎｏ）、監視サーバ３０から定期的に送信される第２位置情報を受信して（Ｓ１１）、第２携帯電話２０の現在位置をディスプレイ１４上に表示する（Ｓ１２）。なお、第１携帯電話１０は、ＲＡＭ１２内など所定の記憶領域に、地図データ（第２位置情報がプロットされたもの）を静止画データとして格納しておき、ストーカー犯罪者の移動軌跡が分かるように、複数の静止画データをスライド表示させることができるようになっている。
【００４５】
監視サーバ３０は、第１携帯電話１０からキャンセル信号を受信すると（Ｓ０６：Ｙｅｓ）、第１携帯電話１０への情報提供を中止する。すなわち、キャンセル信号の受信後、所定時間（例えば２時間）は、第２携帯電話２０が固定エリアＥＦまたは移動エリアＥＭ内に存在すると判定した場合（Ｓ０３：Ｙｅｓ）でも、第１携帯電話１０への情報提供を行わない。また、キャンセル信号を受信しない場合は（Ｓ０６：Ｎｏ）、第２携帯電話２０から定期的に発信される電波に基づいて第２位置情報を取得し（Ｓ０７）、Ｓ０４以降の処理を繰り返す。
【００４６】
なお、上記のＳ１４において、第１携帯電話１０が監視サーバ３０にキャンセル信号を送信する場合、第２位置情報の受信を拒否する時間を指定可能としても良い。この場合、操作キー１５に含まれるテンキーにより時間指定が可能である。また、この場合、監視サーバ３０は、監視データベース４１にその所定時間を記録しておき、当該監視データベース４１を参照して、第１携帯電話１０への第２位置情報の提供の有無を判断することとなる。
【００４７】
以上説明したとおり、本実施形態の監視システムＳＹによれば、予め設定された固定位置を中心とした固定エリアＥＦにストーカー犯罪者が所有する第２携帯電話２０が存在する場合、当該第２携帯電話２０の現在位置を、第１携帯電話１０のディスプレイ１４に表示するため、第１携帯電話１０を所有する被害者が、ストーカー犯罪者の行動を把握することができる。これにより、例えば自宅Ｐ１など、ストーカー犯罪者のターゲットとなりそうな地点を固定位置として設定しておくことで、被害者が自宅Ｐ１を留守にしている場合でも、自宅周辺にいるストーカー犯罪者の居場所を確認することができ、安心して帰宅することができる。
【００４８】
また、被害者の現在位置を中心とした移動エリアＥＭ内に、第２携帯電話２０が存在する場合にも、第２携帯電話２０の現在位置を、第１携帯電話１０のディスプレイ１４に表示するため、被害者は、ストーカー犯罪者が自分の後を付け回しているような場合も、そのことを把握することができ、早急に対策を講じることができる。このように、本実施形態の監視システムＳＹでは、ストーカー犯罪者が自宅Ｐ１などを監視している場合と、被害者の後を付回している場合の双方において、ストーカー犯罪者の行動を把握できるため、被害者は安心した日常生活を送ることができる。
【００４９】
一方、監視サーバ３０は、第１携帯電話１０に対し、固定エリアＥＦ内に第２携帯電話２０が存在する場合のみ、第２携帯電話２０の位置を示す第２位置情報を送信し、固定エリアＥＦ内に第２携帯電話２０が存在しない場合は、第２位置情報を送信しない。したがって、被害者は、自分の行動エリアとは離れた場所におけるストーカー犯罪者の日常行動など知りたくもない情報まで知らされることが無く、不快感を軽減できる。さらに、ストーカー犯罪者の最低限のプライバシーを守ることにもなる。
【００５０】
（第２実施形態）
続いて、図６を参照し、本発明の第２実施形態について説明する。同図は、第２実施形態に係る情報記録処理を説明するための図である。上記の実施形態では、第２携帯電話２０が固定エリアＥＦまたは移動エリアＥＭ内に存在すると判定したとき、すなわちストーカー犯罪者が固定エリアＥＦまたは移動エリアＥＭ内に侵入したとき、監視サーバ３０が、ストーカー犯罪者の現在位置を示す第２位置情報を第１携帯電話１０へ送信するものとしたが、本実施形態では、第２位置情報として、ストーカー犯罪者の現在位置だけでなく、過去所定時間分の移動軌跡を示す情報を第１携帯電話１０へ送信することを特徴とする。以下、第１実施形態と異なる点のみ説明する。
【００５１】
本実施形態においては、監視サーバ３０の記憶部３３０（図４参照）に、第２携帯電話２０から取得した過去所定時間分の第２位置情報（緯度、経度および高度等を示す情報）を記憶しておく。例えば、所定時間として過去１時間分の第２位置情報を記憶部３３０内の所定の記憶領域に格納しておき、定期的に取得した第２位置情報が１時間分を超える場合は、古いものから順次消去していき、最新の第２位置情報を記録する。
【００５２】
そして、第２位置情報送信部３７０は、図６に示すように、第２携帯電話２０を所有するストーカー犯罪者が固定エリアＥＦまたは移動エリアＥＭ内に侵入したことを検出したとき（第２携帯電話２０がエリア内に存在すると判定したとき）、検出時点から遡って過去１時間分の第２位置情報を第１携帯電話１０へ送信する。これにより、第１携帯電話１０は、第２携帯電話２０の現在位置を示す複数枚の静止画データＤ１，Ｄ２・・・を、ディスプレイ１４上に表示可能となる。
【００５３】
複数枚の静止画データＤ１，Ｄ２・・・は、例えば１０秒間隔（図６では、ｔ秒間隔）で第２携帯電話２０の現在位置Ｐｂをプロットしたものであり、スライド表示によりストーカー犯罪者の移動軌跡を把握できるようになっている。
【００５４】
このように、第２実施形態によれば、被害者は、ストーカー犯罪者が固定エリアＥＦまたは移動エリアＥＭ内に居ることを把握できるだけでなく、そこに至る過去所定時間分の移動軌跡（行動）も把握することができる。これにより、ストーカー犯罪者の企てを推測することができ、より適切な対策を講じることができる。
【００５５】
なお、上記の２つの実施形態では、第２位置情報送信部３７０は、第１携帯電話１０に対し第２位置情報を送信するものとしたが、第２位置情報と共に、第１位置情報を送信するようにしても良い。この構成によれば、被害者は、第１携帯電話１０に表示された地図データ上で、被害者とストーカー犯罪者の位置関係を把握することができる。また、この場合、第２実施形態のように、過去所定時間分の第２位置情報と、過去所定時間分の第１位置情報と、を送信するようにしても良い。この構成によれば、被害者は、過去所定時間分の被害者とストーカー犯罪者の移動軌跡を把握することができる。
【００５６】
また、上記の２つの実施形態では、第１位置情報および第２位置情報として、第１携帯電話１０および第２携帯電話２０の緯度、経度および高度等を示す情報を送受信するものとしたが、監視サーバ３０が第１携帯電話１０に送信する第２位置情報（第１位置情報を共に送信しても良い）は、地図データそのものを送信しても良い。
【００５７】
また、上記の２つの実施形態では、固定エリアＥＦのエリア半径と移動エリアＥＭのエリア半径とは同一であるものとしたが、それぞれ個別に設定可能としても良い。また、固定エリアＥＦのエリア半径については、設定した１以上の固定位置に対して、それぞれ個別に設定可能としても良い。また、固定エリアＥＦおよび移動エリアＥＭは、固定位置を中心とした「円」であるものとしたが、正方形であっても良いし、楕円形であっても良い。また、地形や住所、国境や県境の有無等によって、その形状は変化するものとしても良い。例えば、東京都千代田区内に各エリアの中心が位置する場合、千代田区全体を固定エリアＥＦまたは移動エリアＥＭとしても良い。
【００５８】
また、上記の２つの実施形態に示した監視システムＳＹ（第１携帯電話１０、第２携帯電話２０または監視サーバ３０）の各構成要素をプログラムとして提供することが可能である。また、そのプログラムを各種記録媒体（ＣＤ−ＲＯＭ、フラッシュメモリ等）に格納して提供することも可能である。すなわち、コンピュータを、監視システムＳＹの各手段として機能させるためのプログラム、およびそれを記録した記録媒体も、本発明の権利範囲に含まれる。
【００５９】
また、監視システムＳＹのシステム構成、処理工程、携帯電話１０，２０の機能等について、本発明の要旨を逸脱しない範囲で、適宜変更が可能である。
【図面の簡単な説明】
【００６０】
【図１】本発明の一実施形態に係る監視システムの概要を示すシステム構成図である。
【図２】携帯電話および監視サーバの制御ブロック図である。
【図３】監視データベースの一例を示す図である。
【図４】監視システムの機能ブロック図である。
【図５】監視システムのサービス提供方法を示すフローチャートである。
【図６】第２実施形態に係る情報記録処理を説明するための図である。
【符号の説明】
【００６１】
１０…第１携帯電話  １４…ディスプレイ  １５…操作キー  ２０…第２携帯電話  ３０…監視サーバ  ４１…監視データベース  ＥＦ…固定エリア  ＥＭ…移動エリア  Ｐ…固定位置  ＳＹ…監視システム
【図１】
2009282888.tif 000003
【図２】
2009282888.tif 000004
【図３】
2009282888.tif 000005
【図４】
2009282888.tif 000006
【図５】
2009282888.tif 000007
【図６】
2009282888.tif 000008